【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
患者の体の中に埋め込まれて、治療送出および監視機能の少なくともいずれかを提供するようになっている、電池駆動式の埋め込み可能医療デバイス（ＩＭＤ）であり、所定のアップリンク遠隔測定送信期間中に埋め込み可能医療デバイスから該デバイスが生成した患者データをアップリンク遠隔測定送信し、所定のダウンリンク遠隔測定送信期間中にダウンリンク遠隔測定データをダウンリンク遠隔測定受信するための遠隔測定送受信機回路を備える埋め込み可能医療デバイス（ＩＭＤ）であって、
電圧制御発振器（ＶＣＯ）であって、印加される制御電圧に依存して、ＶＣＯ出力でＦＭ遠隔測定搬送波周波数を生成するためのＶＣＯ電圧入力、および患者データのアップリンク送信中に、前記電圧制御発振器が発生した搬送波周波数を変調するデータビット変調電圧を受信するＶＣＯ周波数変調（ＦＭ）入力を有する、電圧制御発振器（ＶＣＯ）と、
前記ＶＣＯ出力の搬送波周波数を選択的に受信するようになっているＰＬＬ入力を有し、前記ＶＣＯ電圧制御入力に結合されている容量性ループフィルタ回路に制御電圧を供給するための位相同期ループ（ＰＬＬ）回路と、
遠隔測定（テレメトリ）制御手段であって、アップリンクまたはダウンリンク遠隔測定送信の開始で動作して、前記アップリンク遠隔測定送信期間の初期ＬＯＣＫ期間中に、大きな電池エネルギー消費状態で、前記位相同期ループ回路および前記ループフィルタを有する前記電圧制御発振器を周波数シンセサイザとして動作させ、前記ループフィルタ回路が格納し、前記ＶＣＯ電圧入力に印加される周波数同期制御電圧を生じさせ、それによって、前記電圧制御発振器が、周波数同期された搬送波信号を前記ＶＣＯ出力で発生するようにする、遠隔測定制御手段と、
アップリンク遠隔測定送信期間の後続のＨＯＬＤ期間中に、前記位相同期ループ回路を前記電圧制御発振器から選択的にデカップリングし、患者データを前記ＦＭ入力に与える手段と、
前記アップリンク遠隔測定送信期間の前記ＨＯＬＤ期間中に動作して、前記電圧制御発振器が発生した搬送波周波数を変調する周波数補正電圧を前記電圧制御発振器ＶＣＯのＦＭ入力で生じて、前記電圧制御発振器が発生した搬送波周波数のドリフトを補償して、前記電圧制御発振器が発生した搬送波周波数を、患者データの信頼性のあるアップリンク遠隔測定送信を可能にする許容可能な周波数偏差の許容誤差内に維持するようにする、電圧保持手段と、
をさらに備える埋め込み可能医療デバイス。
【請求項２】
前記容量性ループフィルタ回路電圧は、ループフィルタ・コンデンサが前記アップリンク遠隔測定送信期間の前記ＨＯＬＤ期間中に放電する時に、所定のレートで徐々に消失する傾向を持っており、前記ループフィルタ・コンデンサを再充電して、前記ループフィルタ・コンデンサの放電を相殺するようにする再充電手段をさらに備える請求項１に記載の埋め込み可能医療デバイス。
【請求項３】
埋め込み可能医療デバイスを作製している間の前記容量性ループフィルタを試験している間に観察される漏れレートから導出される再充電電流値をＩＭＤメモリに格納する手段をさらに備え、
前記再充電手段は、前記再充電電流値を前記ＩＭＤメモリから探索し、前記再充電電流値を使用して、ある再充電電流値を生成して、前記ループフィルタ・コンデンサに印加して、前記ループフィルタ・コンデンサを再充電するようにする請求項２に記載の埋め込み可能医療デバイス。
【請求項４】
前記ダウンリンク遠隔測定送信期間のＨＯＬＤ期間中、前記遠隔医療デバイスから受信された受信搬送波周波数信号と前記電圧制御発振器が発生した前記搬送波周波数の間の差に応答して、前記遠隔医療デバイスから受信した前記受信搬送波周波数信号と前記電圧制御発振器が発生した前記搬送波周波数の間の差の関数として変化するＡＦＣ補正値を生じるようにする、自動周波数制御（ＡＦＣ）手段と、
前記ダウンリンク遠隔測定送信期間の前記ＨＯＬＤ期間中、前記ＡＦＣ補正値を周波数補正電圧に変換し、前記電圧制御発振器の前記ＦＭ入力に前記周波数補正電圧を印加して、前記電圧制御発振器が発生した搬送波周波数を、信頼性のあるダウンリンク遠隔測定データのダウンリンク遠隔測定受信を可能にする許容可能な周波数偏差の許容誤差内に維持するようにする、変換手段とをさらに備える請求項１に記載の埋め込み可能医療デバイス。
【請求項５】
前記容量性ループフィルタ回路電圧は、ループフィルタ・コンデンサが前記ダウンリンク遠隔測定送信期間の前記ＨＯＬＤ期間中に放電する時に、所定のレートで徐々に消失する傾向を持っており、前記ループフィルタ・コンデンサを再充電して、前記ループフィルタ・コンデンサの放電を相殺するようにする再充電手段をさらに備える請求項４に記載の埋め込み可能医療デバイス。
【請求項６】
埋め込み可能医療デバイスを作製している間の前記容量性ループフィルタを試験している間に観察される漏れレートから導出される再充電電流値をＩＭＤメモリに格納する手段をさらに備え、
前記再充電手段は、前記再充電電流値を前記ＩＭＤメモリから探索し、前記再充電電流値を使用して、所定の再充電電流値を生成して、前記ループフィルタ・コンデンサに印加して、前記ループフィルタ・コンデンサを再充電するようにする請求項５に記載の埋め込み可能医療デバイス。
【請求項７】
前記電圧保持手段は、前記ダウンリンク遠隔測定送信期間の前記ＨＯＬＤ期間中に前記自動周波数制御手段が生じた前記ＡＦＣ補正値に応答し、前記アップリンク遠隔測定送信期間の前記ＨＯＬＤ期間中に動作する手段であって、前記電圧制御発振器が発生した搬送波周波数のドリフトを補償するように、前記電圧制御発振器が発生した搬送波周波数を変調する周波数補正電圧を前記電圧制御発振器のＦＭ入力で生じて、それによって、前記電圧制御発振器が発生した搬送波周波数を、患者データの信頼性のあるアップリンク遠隔測定送信を可能にする許容可能な周波数偏差の許容誤差内に維持する手段をさらに備える請求項６に記載の埋め込み可能医療デバイス。
【請求項８】
前記電圧保持手段は、前記ダウンリンク遠隔測定送信期間の前記ＨＯＬＤ期間中に前記自動周波数制御手段が生じた前記ＡＦＣ補正値に応答し、前記アップリンク遠隔測定送信期間の前記ＨＯＬＤ期間中に動作する手段であって、前記電圧制御発振器が発生した搬送波周波数のドリフトを補償するように、前記電圧制御発振器が発生した搬送波周波数を変調する周波数補正電圧を前記電圧制御発振器のＦＭ入力で生じて、それによって、前記電圧制御発振器が発生した搬送波周波数を、患者データの信頼性のあるアップリンク遠隔測定送信を可能にする許容可能な周波数偏差の許容誤差内に維持する手段をさらに備える請求項４に記載の埋め込み可能医療デバイス。
【請求項９】
患者の体の中に埋め込まれて、治療送出および監視機能の少なくともいずれかを提供するようになっている、電池駆動式の埋め込み可能医療デバイス（ＩＭＤ）において、所定のアップリンク遠隔測定送信期間中に前記埋め込み可能医療デバイスから該デバイスが生成した患者データをアップリンク遠隔測定送信し、所定のダウンリンク遠隔測定送信期間中にプログラミングおよび問合せコマンドをダウンリンク遠隔測定受信するための遠隔測定送受信機回路を備える埋め込み可能医療デバイスであって、
電圧制御発振器（ＶＣＯ）であって、電圧入力および周波数変調（ＦＭ）入力を有して、前記電圧入力に印加される制御電圧および前記ＦＭ入力に印加されるＦＭ入力信号に依存して、ＶＣＯ出力でＦＭ遠隔測定搬送波周波数を生成するようにする、電圧制御発振器と、
前記ＶＣＯ出力の搬送波周波数を選択的に受信するようになっているＰＬＬ入力を有し、前記電圧制御発振器の電圧制御入力に結合されている容量性ループフィルタ回路に制御電圧を供給するための位相同期ループ（ＰＬＬ）回路と、
アップリンク遠隔測定制御手段であって、アップリンク遠隔測定送信またはダウンリンク遠隔測定送信の受信の開始によって動作して、前記アップリンク遠隔測定送信期間のＬＯＣＫ期間中に、大きな電池エネルギー消費状態で、前記位相同期ループ回路および前記ループフィルタを有する前記電圧制御発振器を周波数シンセサイザとして動作させ、前記ループフィルタ回路が格納し、前記ＶＣＯ電圧入力に印加される周波数同期制御電圧を生じさせ、前記電圧制御発振器が、周波数同期された搬送波信号を前記ＶＣＯ出力で発生するようにする、アップリンク遠隔制御手段と、
アップリンクまたはダウンリンク遠隔測定送信のＨＯＬＤ期間中に、前記制御信号を前記電圧制御発振器に印加するように動作する手段と、
アップリンク遠隔測定送信の前記ＨＯＬＤ期間中に、前記ＶＣＯ出力で前記電圧制御発振器が発生した周波数保持搬送波周波数を、患者データの信頼性のあるアップリンク遠隔測定送信を可能にする許容可能な周波数偏差の許容誤差内に維持するのに十分な周波数保持制御電圧を、前記ループフィルタ回路に対して供給するように動作する手段と、
ダウンリンク遠隔測定送信の前記ＨＯＬＤ期間中に動作する手段であって、前記受信搬送波周波数信号と前記電圧制御発振器が発生した前記搬送波周波数の間の周波数の差から周波数補正電圧を発生させ、前記周波数補正電圧を前記電圧制御発振器の前記ＦＭ入力に印加して、前記電圧制御発振器が発生した前記搬送波周波数の自動周波数制御を提供するよう動作する手段と、
をさらに備える埋め込み可能医療デバイス。
【請求項１０】
前記ループフィルタ回路と結合され、前記アップリンク遠隔測定送信期間の前記ＨＯＬＤ期間中に動作して、前記電圧制御発振器が発生した搬送波周波数のドリフトを補償するように、前記電圧制御発振器が発生した搬送波周波数を変調する周波数補正電圧を前記電圧制御発振器のＦＭ入力で生じて、それによって、前記電圧制御発振器が発生した搬送波周波数を、患者データの信頼性のあるアップリンク遠隔測定送信を可能にする許容可能な周波数偏差の許容誤差内に維持する、電圧保持手段をさらに備える請求項９に記載の埋め込み可能医療デバイス。
【請求項１１】
前記容量性ループフィルタ回路電圧は、ループフィルタ・コンデンサが前記アップリンク遠隔測定送信期間の前記ＨＯＬＤ期間中に放電する時に、所定のレートで徐々に消失する傾向を持っており、前記ループフィルタ・コンデンサを再充電して、前記ループフィルタ・コンデンサの放電を相殺するようにする再充電手段をさらに備える請求項９に記載の埋め込み可能医療デバイス。
【請求項１２】
埋め込み可能医療デバイスを作製している間の前記容量性ループフィルタを試験している間に観察される漏れレートから導出される再充電電流値をＩＭＤメモリに格納する手段をさらに備え、
前記再充電手段は、前記再充電電流値をＩＭＤメモリから探索し、前記再充電電流値を使用して、ある再充電電流値を生成し、前記ループフィルタ・コンデンサに印加して、それによって、前記ループフィルタ・コンデンサを再充電する請求項１１に記載の埋め込み可能医療デバイス。